(57)【要約】【課題】本発明はＦＰＣ５０又はＦＦＣの仮保持をしてもパターンが削れることなく、かつ、ＦＰＣ５０又はＦＦＣの無挿入力もできる構造のコネクタ１０を提供する。【解決手段】本目的はＦＰＣ５０又はＦＦＣと接触する接触部２４を有する複数のコンタクト１４と、このコンタクト１４が保持・固定されるとともにＦＰＣ５０又はＦＦＣが挿入される嵌合孔１８を有するハウジング１２と、ＦＰＣ５０又はＦＦＣをコンタクト１４に押圧するスライダー１６とを具えるコネクタ１０において、ハウジング１２のＦＰＣ５０又はＦＦＣが入る嵌合孔１８内に、ＦＰＣ５０又はＦＦＣを導くための傾斜部２０を設けるとともに傾斜部２０に連結した直線部２２を設け、スライダー１６がハウジング１２に仮固定された状態で、スライダー１６の押圧部３２の先端とコンタクト１４の接触部２４の先端との隙間がＦＰＣ５０又はＦＦＣの厚さより広くすることにより達成できる。【選択図】  図２
2005190914.tif 000002
【特許請求の範囲】
【請求項１】
フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する複数のコンタクトと、このコンタクトが保持・固定されるとともに前記フレキシブルプリント基板又は前記フレキシブルフラットケーブルが挿入される嵌合孔を有するハウジングと、前記フレキシブルプリント基板（ＦＰＣ）又は前記フレキシブルフラットケーブル（ＦＦＣ）を前記コンタクトに押圧するスライダーとを具えるコネクタにおいて、
前記ハウジングの前記フレキシブルプリント基板又は前記フレキシブルフラットケーブルが入る嵌合孔内に、前記フレキシブルプリント基板又は前記フレキシブルフラットケーブルを導くための傾斜部を設けるとともに該傾斜部に連結した直線部を設け、前記スライダーが前記ハウジングに仮固定された状態で、前記スライダーの押圧部の先端と前記コンタクトの接触部の先端との隙間が前記フレキシブルプリント基板又は前記フレキシブルフラットケーブルの厚さより広くしたことを特徴とするコネクタ。
【請求項２】
前記スライダーの押圧部の先端と前記コンタクトの接触部の先端との隙間を０．３５〜０．５ｍｍにしたことを特徴とする請求項１記載のコネクタ。
【請求項３】
前記フレキシブルプリント基板又は前記フレキシブルフラットケーブルの挿入時に無挿入力（ゼロ・インサーション・フォース）にしたことを特徴とする請求項２記載のコネクタ。
【請求項４】
前記フレキシブルプリント基板又は前記フレキシブルフラットケーブルを前記ハウジングに挿入すると、前記フレキシブルプリント基板又は前記フレキシブルフラットケーブルの先端が前記コンタクトの接触部の反対側に設けた延設部に接し、更に挿入すると該延設部に沿って前記フレキシブルプリント基板又は前記フレキシブルフラットケーブルの先端は前記傾斜部に接し、さらにまた挿入すると該傾斜部に導かれ前記傾斜部を乗り越えるように前記直線部に接し、該状態で前記スライダーが挿入されると前記コンタクトの接触部に前記フレキシブルプリント基板又は前記フレキシブルフラットケーブルの接触部が押圧されることを特徴とする請求項１、２または３記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）にコンタクトを押し付ける機構に関するものである。
【背景技術】
【０００２】
携帯電話やＣＣＤカメラ等に使用されるコネクタは、狭ピッチで極薄（所謂軽薄短小）であり、主にハウジングとコンタクトとを備え、ハウジングにＦＰＣを挿入し、コンタクトの接触部に接触させる構造のもの（所謂、ノンＺＩＦタイプ）や主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
【特許文献１】例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【発明の開示】
【発明が解決しようとする課題】
【０００３】
上記特許文献１のような前記ＦＰＣ又は前記ＦＦＣを挿入した後に、楔形状をしたスライダーを挿入することにより前記ＦＰＣ又は前記ＦＦＣを前記コンタクトの接触部に押圧する構造のコネクタでは、前記ＦＰＣ又は前記ＦＦＣを仮保持することができなく、前記スライダーを挿入するまでに、前記ＦＰＣ又は前記ＦＦＣの接触部と前記コンタクトの接触部とがズレてしまい接続不良に繋がってしまうと言った課題があった。
前記ＦＰＣ又は前記ＦＦＣを仮保持すると、前記ＦＰＣ又は前記ＦＦＣを挿入する際に、無挿入力（ゼロ・インサーション・フォース）に出来なく、かつ、前記ＦＰＣのパターンの先端の削れが発生し、ショートの原因になったり接続不良になるといった問題点があった。
【０００４】
本発明は、このような従来の問題点に鑑みてなされたもので、前記ＦＰＣ又は前記ＦＦＣの仮保持をしてもパターンが削れることなく、かつ、前記ＦＰＣ又は前記ＦＦＣの無挿入力もできる構造のコネクタを提供せんとするものである。
【課題を解決するための手段】
【０００５】
上記目的は、ＦＰＣ５０又はＦＦＣと着脱自在に嵌合するコネクタ１０であって、該ＦＰＣ５０又は前記ＦＦＣと接触する接触部２４を有する複数のコンタクト１４と、このコンタクト１４が保持・固定されるとともに前記ＦＰＣ５０又は前記ＦＦＣが挿入される嵌合孔１８を有するハウジング１２と、前記ＦＰＣ５０又は前記ＦＦＣを前記コンタクト１４に押圧するスライダー１６とを具えるコネクタ１０において、前記ハウジング１２の前記ＦＰＣ５０又は前記ＦＦＣが入る嵌合孔１８内に、前記ＦＰＣ５０又は前記ＦＦＣを導くための傾斜部２０を設けるとともに該傾斜部２０に連結した直線部２２を設け、前記スライダー１６が前記ハウジング１２に仮固定された状態で、前記スライダー１６の押圧部３２の先端と前記コンタクト１４の接触部２４の先端との隙間が前記ＦＰＣ５０又は前記ＦＦＣの厚さより広くすることにより達成できる。
【０００６】
前記スライダー１６の押圧部３２の先端と前記コンタクト１４の接触部２４の先端との隙間を０．３５〜０．５ｍｍにする。０．３５ｍｍ以下では前記ＦＰＣ５０又は前記ＦＦＣの挿入時に、無挿入力にすることができなく、０．５ｍｍ以上では前記ＦＰＣ５０又は前記ＦＦＣの仮保持を行うことができない。
前記ＦＰＣ５０又は前記ＦＦＣの挿入時に無挿入力（ゼロ・インサーション・フォース（ＺＩＦ））にする。
前記ＦＰＣ５０又は前記ＦＦＣを前記ハウジング１２に挿入すると、前記ＦＰＣ５０又は前記ＦＦＣの先端が前記コンタクト１４の接触部２４の反対側に設けた延設部３０に接し、更に挿入すると該延設部３０に沿って前記ＦＰＣ５０又は前記ＦＦＣの先端は前記傾斜部２０に接し、さらにまた挿入すると該傾斜部２０に導かれ前記傾斜部２０を乗り越えるように前記直線部２２に接し、該状態で前記スライダー１６が挿入されると前記コンタクト１４の接触部２４に前記ＦＰＣ５０又は前記ＦＦＣの接触部が押圧されるように挿入される。
【発明の効果】
【０００７】
上記のようなコネクタ１０の構造にすることで、次のような顕著な効果を得ることができる。
（１）前記ＦＰＣ５０又は前記ＦＦＣと着脱自在に嵌合するコネクタ１０であって、該ＦＰＣ５０又は前記ＦＦＣと接触する接触部２４を有する複数のコンタクト１４と、このコンタクト１４が保持・固定されるとともに前記ＦＰＣ５０又は前記ＦＦＣが挿入される嵌合孔１８を有するハウジング１２と、前記ＦＰＣ５０又は前記ＦＦＣを前記コンタクト１４に押圧するスライダー１６とを具えるコネクタ１０において、前記ハウジング１２の前記ＦＰＣ５０又は前記ＦＦＣが入る嵌合孔１８内に、前記ＦＰＣ５０又は前記ＦＦＣを導くための傾斜部２０を設けるとともに該傾斜部２０に連結した直線部２２を設け、前記スライダー１６が前記ハウジング１２に仮固定された状態で、前記スライダー１６の押圧部３２の先端と前記コンタクト１４の接触部２４の先端との隙間が前記ＦＰＣ５０又は前記ＦＦＣの厚さより広くしているので、前記ＦＰＣ５０又は前記ＦＦＣを挿入する際に挿入力が掛からなく、容易に前記ＦＰＣ５０又は前記ＦＦＣの仮保持をすることができ、仮保持してもパターンが削れることもない。
（２）前記スライダー１６の押圧部３２の先端と前記コンタクト１４の接触部２４の先端との隙間を０．３５〜０．５ｍｍにしているので、確実に前記ＦＰＣ５０又は前記ＦＦＣの仮保持をすることができため前記ＦＰＣ５０又は前記ＦＦＣの接触部と前記コンタクト１４の接触部２４とがズレることがなく、安定した接続を得ることができ、前記ＦＰＣ５０又は前記ＦＦＣの挿入時にも挿入力が掛からなく、仮保持してもパターンが削れることがない。
（３）前記ＦＰＣ５０又は前記ＦＦＣの挿入時に無挿入力（ゼロ・インサーション・フォース（ＺＩＦ））にしているので、容易に前記ＦＰＣ５０又は前記ＦＦＣを挿入することができる。
（４）前記ＦＰＣ５０又は前記ＦＦＣを前記ハウジング１２に挿入すると、前記ＦＰＣ５０又は前記ＦＦＣの先端が前記コンタクト１４の接触部２４の反対側に設けた延設部３０に接し、更に挿入すると該延設部３０に沿って前記ＦＰＣ５０又は前記ＦＦＣの先端は前記傾斜部２０に接し、さらにまた挿入すると該傾斜部２０に導かれ前記傾斜部２０を乗り越えるように前記直線部２２に接し、該状態で前記スライダー１６が挿入されると前記コンタクト１４の接触部２４に前記ＦＰＣ５０又は前記ＦＦＣの接触部が押圧されるように挿入されるので、確実に前記ＦＰＣ５０又は前記ＦＦＣが仮保持できるため前記ＦＰＣ５０又は前記ＦＦＣの接触部と前記コンタクト１４の接触部２４とがズレることがなく、安定した接続を得ることができる。
【発明を実施するための最良の形態】
【０００８】
図に基づいて、本発明のコネクタ１０について説明する。
図１（Ａ）は本発明のコネクタを嵌合側よりみた斜視図である。図２はＦＰＣを挿入される状態を示す説明図である。
本発明のコネクタ１０は、主にハウジング１２とスライダー１６とコンタクト１４とを備えている。
【０００９】
図に基づいて本発明のコネクタ１０の構成部品について説明する。
まず、コンタクト１４について説明する。このコンタクト１４は金属製であり、公知技術のプレス加工によって製作されている。前記コンタクト１４の材質としては、バネ性や導電性などが要求されるので、黄銅やベリリウム銅やリン青銅等を挙げることができる。
前記コンタクト１４は図２のように略Ｕ字形状としており、前記ＦＰＣ５０と接触する接触部２４と前記ハウジング１２に固定される固定部２６と基板５２に接続される接続部２８と前記接触部２４と対抗するように前記固定部２６より延設された延設部３０とを具えている。前記接触部２４は前記ＦＰＣ５０と接触し易いように湾曲状に突出させ、前記接続部２８は図１のように本実施例では表面実装（ＳＭＴ）タイプにしたが、ディップタイプであってもよい。
【００１０】
次に、本発明のポイント部分であるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクト１４が装着される挿入孔１９が設けられており、圧入や引っ掛け（ランス）や溶着等によって固定されている。
前記ハウジング１２は前記ＦＰＣ５０と前記スライダー１６の押圧部３２とが挿入される嵌合孔１８を有しており、該嵌合孔１８の大きさは前記ＦＰＣ５０を挿入した後に前記スライダー１６を挿入することで前記ＦＰＣ５０を前記コンタクト１４に押圧でき、０．７Ｎ程度の接触圧が得られるように適宜設計している。また、前記ハウジング１２の長手方向両側には、前記スライダー１６のロック部３４と仮ロック部３６と係止する係止部２３が設けられている。該係止部２３は前記ＦＰＣ５０が挿入される前は前記スライダー１６が仮固定でき、前記ＦＰＣ５０が挿入された後は前記スライダー１６が固定できるようになっている。
【００１１】
前記ハウジング１２の嵌合孔１８内には、前記ＦＰＣ５０又は前記ＦＦＣを導くための傾斜部２０と該傾斜部２０に連結した直線部２２とが設けられている。前記ＦＰＣ５０の挿入が完了し、前記スライダー１６で前記ＦＰＣ５０を前記コンタクト１４に押圧した状態では、前記ＦＰＣ５０の先端は前記直線部２２に収まった状態になる。前記直線部２２の大きさはこのような状態になるように適宜設計し、本実施例では前記ＦＰＣ５０の厚みより０．１ｍｍ程度大きくした。
前記傾斜部２０は前記ＦＰＣ５０の先端を前記コンタクト１４の延設部３０から前記ハウジング１２の直線部２２に導くためのものであり、前記傾斜部２０の角度、大きさについてはこの役割を満足することやコネクタ１０の大きさや前記ＦＰＣ５０に加わる力等を考慮して適宜設計している。
【００１２】
次に、スライダー１６について説明する。このスライダー１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記スライダー１６は、前記ＦＰＣ５０が前記ハウジング１２の嵌合孔１８内に挿入された後に、前記ＦＰＣ５０を前記コンタクト１４に押圧するためのものであり、所謂楔の役割を果たすものである。そのため、前記スライダー１６は楔形状をした板状片の押圧部３２と有し、長手方向両側にはハウジング１２と係合するロック部３４と仮ロック部３６が設けられている。ロック部３４と仮ロック部３６の形状や大きさ等は、ハウジングに係合できれば如何なるものでもよく、コネクタの大きさや強度等を考慮して適宜設計する。
【００１３】
前記スライダー１６は、前記ＦＰＣ５０が挿入される前は、図２（Ａ）のように前記ハウジング１２に仮留めされた状態で固定されている。前記スライダー１６の押圧部３２の大きさは、前記ＦＰＣ５０を挿入した後に、前記スライダー１６を挿入することで前記ＦＰＣ５０を前記コンタクト１４に押圧でき、０．７Ｎ程度の接触圧が得られるように適宜設計するが、本実施例では強度等を考慮して厚さを０．３ｍｍ程度にした。
【００１４】
前記ハウジング１２に前記スライダー１６を仮固定した状態の位置関係は、前記スライダー１６が前記ハウジング１２に仮固定された状態で、前記スライダー１６の押圧部３２の先端と前記コンタクト１４の接触部２４の先端との隙間が前記ＦＰＣ５０又は前記ＦＦＣの厚さより広くなるようにしている。本実施例では、前記スライダー１６の押圧部３２の先端と前記コンタクト１４の接触部２４の先端との隙間を０．３５〜０．５ｍｍにした。このようにすることで、前記ＦＰＣ又は前記ＦＦＣの挿入時に無挿入力（ゼロ・インサーション・フォース）にすることができ、仮保持をしても前記ＦＰＣ５０のパターンが削られることがない。
０．３５ｍｍ以下では前記ＦＰＣ５０又は前記ＦＦＣの挿入時に、無挿入力にすることができなく、０．５ｍｍ以上では前記ＦＰＣ５０又は前記ＦＦＣの仮保持を行うことができない。
【００１５】
最後に、図２に基づいて、本発明のコネクタ１０にＦＰＣ５０を挿入する仕方について説明する。
本発明のコネクタ１０は、前記スライダー１６が完全に前記ハウジング１２にロックされた状態（図示せず）で、基板５２にリフロー等により接続される。
最初に、前記ＦＰＣ５０又は前記ＦＦＣを挿入する際には、図２（Ａ）のように、前記スライダー１６を仮ロック３６（スライダーＯＰＥＮ状態）にする。このような前記スライダー１６が前記ハウジング１２に仮固定された状態で、前記スライダー１６の押圧部３２の先端と前記コンタクト１４の接触部２４の先端との隙間が前記ＦＰＣ５０又は前記ＦＦＣの厚さより広くなるようになっている。本実施例では、前記スライダー１６の押圧部３２の先端と前記コンタクト１４の接触部２４の先端との隙間を０．３５〜０．５ｍｍにした。
次に、前記ＦＰＣ５０又は前記ＦＦＣを、前記スライダー１６の押圧部３２と前記コンタクト１４の接触部２４との間から前記ハウジング１２の嵌合孔１８に挿入すると、図２（Ｂ）のように、前記ＦＰＣ５０又は前記ＦＦＣの先端が前記コンタクト１４の接触部２４の反対側に設けた延設部３０に接する。
次に、更に前記ＦＰＣ５０又は前記ＦＦＣを挿入すると前記延設部３０に沿って前記ＦＰＣ５０又は前記ＦＦＣの先端は前記傾斜部２０に接し、さらにまた挿入すると該傾斜部２０に導かれ前記傾斜部２０を乗り越えるように、図２（Ｃ）のように前記ＦＰＣ５０又は前記ＦＦＣの先端が前記ハウジング１２の直線部２２に収まる。
最後に、前記ＦＰＣ５０又は前記ＦＦＣの先端が前記ハウジング１２の直線部２２に収まった状態で、図２（Ｄ）のように、前記スライダー１６を前記ハウジング１２の嵌合孔１８に挿入する。すると、結果的に前記ＦＰＣ５０又は前記ＦＦＣが前記コンタクト１４の接触部２４に押圧されることになる。
【産業上の利用可能性】
【００１６】
本発明の活用例としては、携帯電話やノートパソコンやデジタルカメラ等に使用されるコネクタ１０に活用され、特にＦＰＣ５０やＦＦＣにコンタクト１４を押し付ける機構に関するものである。
【図面の簡単な説明】
【００１７】
【図１】本発明のコネクタを嵌合口側よりみた斜視図である。
【図２】（Ａ）  前記ＦＰＣ又は前記ＦＦＣを挿入する前の前記スライダーを仮ロック（スライダーＯＰＥＮ状態）状態にした断面図である。（Ｂ）  前記ＦＰＣ又は前記ＦＦＣを、前記スライダーの押圧部と前記コンタクトの接触部との間から前記ハウジングの嵌合孔に挿入し、前記ＦＰＣ又は前記ＦＦＣの先端が前記コンタクトの接触部の反対側に設けた延設部に接した状態の断面図である。（Ｃ）  （Ｂ）の状態から更に前記ＦＰＣ又は前記ＦＦＣを挿入していき、前記ＦＰＣ又は前記ＦＦＣの先端が前記延設部に沿って前記傾斜部に接しながら前記ハウジングの直線部に収まった状態の断面図である。（Ｄ）  前記ＦＰＣ又は前記ＦＦＣの先端が前記ハウジングの直線部に収まった状態で、前記スライダーを前記ハウジングの嵌合孔に挿入し、前記ＦＰＣ又は前記ＦＦＣが前記コンタクトの接触部に押圧された状態の断面図である。
【符号の説明】
【００１８】
１０            コネクタ
１２            ハウジング
１４            コンタクト
１６            スライダー
１８            嵌合孔
１９            挿入孔
２０            傾斜部
２２            直線部
２３            係止部
２４            接触部
２６            固定部
２８            接続部
３０            延設部
３２            押圧部
３４            ロック部
３６            仮ロック部
３８            突出部
４０            スリット
５０            ＦＰＣ（フレキシブルプリント基板）
５２            基板
【図１】
2005190914.tif 000003
【図２】
2005190914.tif 000004